【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
指定時間が測定される毎に被写界を撮影する撮影手段、
前記撮影手段によって撮影された被写界像を記録媒体に記録する記録手段、
前記撮影手段の撮影回数に関連する数値情報を不揮発状態で保持する保持手段、
前記保持手段によって保持された数値情報に基づいて前記撮影手段の撮影回数が指定回数に達するまで前記指定時間の測定動作を繰り返し再開する第１再開手段、
前記撮影手段の撮影回数が前記指定回数に達する前に電源の供給が停止されたか否かを電源オン動作に応答して判別する判別手段、
前記判別手段の判別結果が肯定的であるときメッセージを出力する出力手段、および
前記出力手段によって出力されたメッセージに応答して所定操作が行われたとき前記指定時間の測定動作を再開する第２再開手段を備える、ディジタルカメラ。
【請求項２】
第１撮影モードおよび第２撮影モードのいずれか一方を選択する選択手段をさらに備え、
前記第１撮影モードは、前記撮影手段によって撮影された被写界像を不揮発性の一時格納エリアに格納し、前記撮影手段の撮影回数が前記指定回数に達したときに前記一時格納エリアの被写体像を前記記録媒体の正規エリアに記録するモードであり、
前記第２撮影モードは、前記撮影手段によって撮影された被写界像を前記一時格納エリアを経ることなく前記記録媒体の正規エリアに記録するモードである、請求項１記載のディジタルカメラ。
【請求項３】
前記第１撮影モードは、前記撮影手段による最初の撮影に先立って前記一時格納エリアを作成し、前記正規エリアへの記録が完了した後に前記一時格納エリアを消去するモードであり、
前記判別手段は、前記保持手段によって保持された数値情報が示す数値を閾値と比較する比較手段、および前記一時格納エリアを検索する検索手段を含み、
前記比較手段の比較結果と前記検索手段の検索結果とに基づいて撮影モードを決定するようにした、請求項２記載のディジタルカメラ。
【請求項４】
前記一時格納エリアは前記記録媒体内に形成される、請求項２または３記載のディジタルカメラ。
【手続補正２】
【補正対象書類名】明細書
【補正対象項目名】０００５
【補正方法】変更
【補正の内容】
【０００５】
【課題を解決するための手段】
この発明に従うディジタルカメラは、指定時間が測定される毎に被写界を撮影する撮影手段、撮影手段によって撮影された被写界像を記録媒体に記録する記録手段、撮影手段の撮影回数に関連する数値情報を不揮発状態で保持する保持手段、保持手段によって保持された数値情報に基づいて撮影手段の撮影回数が指定回数に達するまで指定時間の測定動作を繰り返し再開する第１再開手段、撮影手段の撮影回数が指定回数に達する前に電源の供給が停止されたか否かを電源オン動作に応答して判別する判別手段、判別手段の判別結果が肯定的であるときメッセージを出力する出力手段、および出力手段によって出力されたメッセージに応答して所定操作が行われたとき指定時間の測定動作を再開する第２再開手段を備える。
【手続補正３】
【補正対象書類名】明細書
【補正対象項目名】０００６
【補正方法】変更
【補正の内容】
【０００６】
【作用】
被写界は、指定時間が測定される毎に撮影手段によって撮影される。撮影された被写界像は、記録手段によって記録媒体に記録される。撮影手段の撮影回数に関連する数値情報は、保持手段によって不揮発状態で保持される。第１再開手段は、保持手段によって保持された数値情報に基づいて、撮影手段の撮影回数が指定回数に達するまで指定時間の測定動作を繰り返し再開する。
判別手段は、撮影手段の撮影回数が指定回数に達する前に電源の供給が停止されたか否かを、電源オン動作に応答して判別する。この判別結果が肯定的であれば、メッセージが出力手段によって出力される。出力されたメッセージに応答して所定操作が行われると、指定時間の測定動作が第２再開手段によって再開される。
【手続補正４】
【補正対象書類名】明細書
【補正対象項目名】０００７
【補正方法】変更
【補正の内容】
【０００７】
この発明のある例では、選択手段によって第１撮影モードおよび第２撮影モードのいずれか一方が選択される。ここで、第１撮影モードは、撮影手段によって撮影された被写界像を不揮発性の一時格納エリアに格納し、撮影手段の撮影回数が指定回数に達したときに一時格納エリアの被写体像を記録媒体の正規エリアに記録するモードであり、第２撮影モードは、撮影手段によって撮影された被写界像を一時格納エリアを経ることなく記録媒体の正規エリアに記録するモードである。
【手続補正５】
【補正対象書類名】明細書
【補正対象項目名】０００８
【補正方法】変更
【補正の内容】
【０００８】
この発明の他の例では、第１撮影モードは、撮影手段による最初の撮影に先立って一時格納エリアを作成し、正規エリアへの記録が完了した後に一時格納エリアを消去するモードである。また、判別手段は、保持手段によって保持された数値情報が示す数値を閾値と比較する比較手段、および一時格納エリアを検索する検索手段を含む。撮影モードは、比較手段の比較結果と検索手段の検索結果とに基づいて決定される。
【手続補正６】
【補正対象書類名】明細書
【補正対象項目名】０００９
【補正方法】変更
【補正の内容】
【０００９】
好ましい例では、一時格納エリアは、記録媒体内に形成される。
【手続補正７】
【補正対象書類名】明細書
【補正対象項目名】００１０
【補正方法】変更
【補正の内容】
【００１０】
【発明の効果】
この発明によれば、指定回数の撮影が完了しないうちに電源の供給が停止されるとメッセージが発生されるため、撮影の異常終了をオペレータに確実に知らせることができる。
【手続補正８】
【補正対象書類名】明細書
【補正対象項目名】００２２
【補正方法】変更
【補正の内容】
【００２２】
ＣＰＵ３２は、撮影モードが選択された状態で電源キー５２によってバッテリ電源６６が投入されたとき、図２〜図７に示すフロー図を処理する。まず、ステップＳ１で光磁気ディスク４２内にテンポラリエリアが形成されているかどうか判断し、ＮＯであればステップＳ３に進むが、ＹＥＳであればステップＳ５で中断フラグ３２ｅをセットしてからステップＳ２３のインターバル動画撮影処理に進む。ステップＳ３では不揮発性のインターバルカウンタ３２ａのカウント値が“０”であるかどうか判断し、ＹＥＳであればステップＳ９に進むが、ＮＯであればステップＳ７で中断フラグ３２ｅをセットしてからステップＳ２５のインターバル静止画撮影処理に進む。
【手続補正９】
【補正対象書類名】明細書
【補正対象項目名】００３１
【補正方法】変更
【補正の内容】
【００３１】
インターバル動画撮影処理は、図３および図４に示すサブルーチンに従って実行される。まず、ステップＳ３１で中断フラグ３２ｅの状態を判別し、リセット状態であればステップＳ３３で撮影時間間隔（撮影周期）および動画継続時間の初期値を不揮発性のレジスタ３２ｃに設定する。撮影時間間隔の初期値はたとえば６０秒であり、動画継続時間の初期値はたとえば３０秒である。ステップＳ３５では、動画継続時間の初期値および動画再生時のフレームレートに基づいて記録フレーム数を算出する。再生時のフレームレートを１５ｆｐｓとすると、３０秒の動画像を再生するには４５０フレームの静止画像が必要となる。このため、ステップＳ３５で算出される記録フレーム数は、“４５０”となる。算出されたフレーム数は、インターバルカウンタ３２ａに設定される。
【手続補正１０】
【補正対象書類名】図面
【補正対象項目名】図２
【補正方法】変更
【補正の内容】
【図２】
2001326835.tif 000001